(57)【要約】      （修正有）【課題】フィンアッセンブリによる通風路の遮断状態を安定して維持することができる車両用レジスタ装置を提供する。【解決手段】レジスタ装置は、レジスタ本体とフィンアッセンブリとを備えている。フィンアッセンブリのフィン３１ａは、上下方向に間隔をおいて配置され、その両端の回動軸５０を介して、レジスタ本体の側壁に回動可能に支持されている。上壁と下壁には左右方向に延びる受面が形成されている。フィン３１ａが互いに重なり合って接するとともに、最上位のフィン３１ａが受面に接し、最下位のフィンが受面に接することにより、上記通風路が遮断される。通風路の遮断状態において、最上位のフィン３１ａは回動制限手段９０により開き方向の回動を制限され、受面に接した状態を維持される。回動制限手段９０は、最上位のフィン３１ａの回動軸の外周に形成された係合凸部９１と、レジスタ本体の段差面６０に形成された係合凸部９５を有している。【選択図】図５
2018144551.tif 000002
【特許請求の範囲】
【請求項１】
通風路を有しこの通風路の下流端が空調装置からの空気を車室へ吹き出すための吹出口として提供されるレジスタ本体と、上記通風路に配置されるとともに複数のフィンと連動リンクを有するフィンアッセンブリとを備え、
上記レジスタ本体は第１方向に対向する一対の第１壁と、上記第１方向と交差する第２方向に対向する一対の第２壁とを有し、
上記複数のフィンは、上記第１方向に延びるとともに上記第２方向に間隔をおいて配置され、その両端の回動軸を介して、上記第１方向に延びる回動軸線を中心にして回動可能に上記第１壁に支持されており、
上記連動リンクは上記複数のフィンに回動可能に連結され、上記連動リンクの移動により上記複数のフィンが同時に回動するようになっており、
上記一対の第２壁の内面には上記第１方向に延びる受面がそれぞれ形成されており、
上記複数のフィンが互いに重なり合って接するとともに、上記複数のフィンのうち上記第２方向の両端に位置するフィンが上記一対の受面にそれぞれ接することにより、上記通風路を遮断するようにした車両用レジスタ装置において、
上記通風路遮断状態において上記複数のフィンから選択された選択フィンの開き方向の回動を制限する回動制限手段を、備えたことを特徴とする車両用レジスタ装置。
【請求項２】
上記回動制限手段は、上記選択フィンの少なくとも一方の回動軸の外周に形成されたフィン側係合凸部と、上記レジスタ本体の上記第１壁に形成された本体側係合凸部とを有し、上記フィン側係合凸部と上記本体側係合凸部の係合により、上記通風路遮断状態において上記選択フィンの開き方向の回動が制限されることを特徴とする請求項１に記載の車両用レジスタ装置。
【請求項３】
上記一対の第１壁の少なくとも一方の内面には段差面が形成され、この段差面に上記本体側係合凸部が形成され、
上記選択フィンの回動軸は、上記第１壁の軸受穴に挿入される第１軸部分と、上記選択フィンの端と上記第１軸部分と間に配置された第２軸部分とを有し、この第２軸部分の外周に上記フィン側係合凸部が形成されていることを特徴とする請求項２に記載の車両用レジスタ装置。
【請求項４】
上記フィン側係合凸部と本体側係合凸部のうちの一方の係合凸部が、ガイド面と第１係止面を有し、他方の係合凸部が第２係止面を有し、
上記選択フィンが上記通風路を遮断する遮断位置へ向かう際に上記ガイド面が上記他方の係合凸部を案内し、
上記選択フィンが遮断位置にある時、上記第１係止面と上記第２係止面が当たることにより、上記選択フィンの開き方向への回動が制限されることを特徴とする請求項２または３に記載の車両用レジスタ装置。
【請求項５】
上記選択フィンは、上記複数のフィンの並び方向において一方の端に配置され、上記通風路遮断状態において、上記一対の受面のうちの一方に接するとともに、上記回動制限手段により上記一方の受面から離れる方向の回動を制限されることを特徴とする請求項１に記載の車両用レジスタ装置。
【請求項６】
上記フィンアッセンブリは上記通風路遮断状態で、上記複数のフィンのうち少なくとも一部の隣接するフィン同士がオーバーラップするとともに、上記選択フィンとは並び方向の反対側の端に位置するフィンが他方の受面にオーバーラップするように、設計されていることを特徴とする請求項５に記載の車両用レジスタ装置。
【請求項７】
複数のフィンが３つ以上のフィンを含み、
上記複数のフィンのうち少なくとも中間の一部のフィンが、その長手方向の端面から上記第１方向に突出する延長部を有しており、
上記レジスタ本体の上記第１壁には段差面が形成され、この段差面は、上記延長部に対向する規制面を有しており、
上記通風路遮断状態において、上記延長部が上記規制面に当たることにより、上記少なくとも中間の一部のフィンの回動が規制されることを特徴とする請求項７に記載の車両用レジスタ装置。
【発明の詳細な説明】
【技術分野】
【０００１】
本発明は、車両において空調装置からの空気を車室に吹き出すためのレジスタ装置に関する。
【背景技術】
【０００２】
車両のインストルメントパネル（以下、インパネと言う）等に設置される一般的なレジスタ装置は、通風路を有するレジスタ本体と、通風路の吹出口に配置された吹出側フィンアッセンブリと、通風路の奥に配置された奥側フィンアッセンブリとを備えている。吹出側フィンアッセンブリと奥側フィンアッセンブリの一方は、上下方向に間隔をおいて配置されるとともに左右方向に延びる複数のフィンを有しており、これらフィンの傾きを調節することにより吹き出し方向を上下に調節することができる。他方のフィンアッセンブリは、左右方向に間隔をおいて配置されるとともに上下方向に延びる複数のフィンを有し、これらフィンの傾きを調節することにより吹き出し方向を左右に調節することができる。
【０００３】
上記レジスタ装置は、インパネ等において乗員毎に個別に、空調装置からの空気を送風できるようになっている。このようなレジスタ装置では、レジスタ本体の通風路において奥側フィンアッセンブリより上流側にシャッタが設置されており、乗員の操作によりシャッタを回動させることにより通風路を開いたり遮断したりし、選択的に送風を停止できるようになっている。しかし、シャッタ、専用の操作部材、およびこれらシャッタと操作部材を連結するリンク機構を必要とするため、複雑かつコスト高である。
【０００４】
そこで、特許文献１に記載されているように、フィンアッセンブリに通風路の遮断機能をもたせたレジスタ装置が開発されている。このレジスタ装置では、フィンが最大限に傾いた時に、フィン同士が互いに重なり合うようにして接するとともに、これらフィンのうち並び方向の両端に位置するフィンが、レジスタ本体の受面に当たることにより、通風路を遮断するようになっている。
【先行技術文献】
【特許文献】
【０００５】
【特許文献１】特開２００７−５５４２７号公報
【発明の概要】
【発明が解決しようとする課題】
【０００６】
特許文献１に記載されているフィンアッセンブリでは、通風路遮断状態において、フィンを安定して遮断位置に維持することができない。
また、フィンアッセンブリの各構成要素に成形誤差があると、通風路遮断状態においてフィン同士に僅かな隙間が生じたり、並び方向の両端に位置するフィンとレジスタ本体の受面との間に僅かな隙間が生じることがあり、このような隙間からの空気漏れが乗員を不快にすることがある。
【課題を解決するための手段】
【０００７】
本発明は上記課題を解決するためになされたもので、
通風路を有しこの通風路の下流端が空調装置からの空気を車室へ吹き出すための吹出口として提供されるレジスタ本体と、上記通風路に配置されるとともに複数のフィンと連動リンクを有するフィンアッセンブリとを備え、
上記レジスタ本体は第１方向に対向する一対の第１壁と、上記第１方向と交差する第２方向に対向する一対の第２壁とを有し、
上記複数のフィンは、上記第１方向に延びるとともに上記第２方向に間隔をおいて配置され、その両端の回動軸を介して、上記第１方向に延びる回動軸線を中心にして回動可能に上記第１壁に支持されており、
上記連動リンクは上記複数のフィンに回動可能に連結され、上記連動リンクの移動により上記複数のフィンが同時に回動するようになっており、
上記一対の第２壁の内面には上記第１方向に延びる受面がそれぞれ形成されており、
上記複数のフィンが互いに重なり合って接するとともに、上記複数のフィンのうち上記第２方向の両端に位置するフィンが上記一対の受面にそれぞれ接することにより、上記通風路を遮断するようにした車両用レジスタ装置において、
上記通風路遮断状態において上記複数のフィンから選択された選択フィンの開き方向の回動を制限する回動制限手段を、備えたことを特徴とする。
【０００８】
上記構成によれば、回動制限手段により選択フィンの開き方向の回動が制限され、さらに連動リンクを介して他のフィンの開き方向の回動も制限されるため、通風路遮断状態を安定して維持できる。
【０００９】
好ましくは、上記回動制限手段は、上記選択フィンの少なくとも一方の回動軸の外周に形成されたフィン側係合凸部と、上記レジスタ本体の上記第１壁に形成された本体側係合凸部とを有し、上記フィン側係合凸部と上記本体側係合凸部の係合により、上記通風路遮断状態において上記選択フィンの開き方向の回動が制限される。
上記構成によれば、選択フィンを通風路遮断位置に向かって回動操作だけで、選択フィンを回動制限状態にすることができ、通風路遮断位置から反対方向に回動操作するだけで回動制限状態から脱することができる。また、回動制限手段を選択フィンの回動軸とレジスタ本体により構成するため、新たな部品が不要であり、製造コストを抑制することができる。
【００１０】
好ましくは、上記一対の第１壁の少なくとも一方の内面には段差面が形成され、この段差面に上記本体側係合凸部が形成され、上記選択フィンの回動軸は、上記第１壁の軸受穴に挿入される第１軸部分と、上記選択フィンの端と上記第１軸部分と間に配置された第２軸部分とを有し、この第２軸部分の外周に上記フィン側係合凸部が形成されている。
上記構成によれば、回動制限手段をレジスタ本体内に配置することができる。
【００１１】
好ましくは、上記フィン側係合凸部と本体側係合凸部のうちの一方の係合凸部が、ガイド面と第１係止面を有し、他方の係合凸部が第２係止面を有し、上記選択フィンが上記通風路を遮断する遮断位置へ向かう際に、上記ガイド面が上記他方の係合凸部を案内し、上記選択フィンが遮断位置にある時、上記第１係止面と上記第２係止面が当たることにより、上記選択フィンの開き方向への回動が制限される。
上記構成によれば、選択フィンを遮断位置に向かって回動させる時に要する力に比べて、遮断位置から選択フィンを開き方向へ回動する時に要する力が大きいので、操作性を高めることができるとともに、通風路遮断状態をより一層確実に維持できる。
【００１２】
好ましくは、上記選択フィンは、上記複数のフィンの並び方向において一方の端に配置され、上記通風路遮断状態において、上記一対の受面のうちの一方に接するとともに、上記回動制限手段により上記一方の受面から離れる方向の回動を制限される。
上記構成によれば、回動制限手段と受面が近い位置にあるので、上記選択フィンを通風路遮断位置で、がたつきなく保持することができる。
【００１３】
好ましくは、上記フィンアッセンブリは上記通風路遮断状態で、上記複数のフィンのうち少なくとも一部の隣接するフィン同士がオーバーラップするとともに、上記選択フィンとは並び方向の反対側の端に位置するフィンが他方の受面にオーバーラップするように、設計されている。
上記構成によれば、フィンアッセンブリの各構成要素に成形誤差があっても、隣接するフィン間のオーバーラップ設計により、フィン同士を隙間なく確実に当接させることができ、選択フィンの反対側に位置するフィンと受面との間のオーバーラップ設計により、当該フィンと受面とを隙間なく確実に当接させることができる。これにより、通風路の遮断状態においてフィンアッセンブリからの空気の漏れを最小限にすることができる。
上記オーバーラップ設計により、上記フィン同士の当接箇所や、上記反対側のフィンと受面の当接箇所には、フィン等の弾性変形を伴って押圧力が生じることがある。そのため、選択フィンは隣接するフィンにより受面から離れる方向の回動力を受けることがある。しかし、選択フィンは回動制限手段により回動を制限されているため、受面から離れず、受け面との間に隙間が形成されないので、空気漏れを防ぐことができる。
【００１４】
好ましくは、複数のフィンが３つ以上のフィンを含み、上記複数のフィンのうち少なくとも中間の一部のフィンが、その長手方向の端面から上記第１方向に突出する延長部を有しており、上記レジスタ本体の上記第１壁には段差面が形成され、この段差面は、上記延長部に対向する規制面を有しており、上記通風路遮断状態において、上記延長部が上記規制面に当たることにより、上記少なくとも中間の一部のフィンの回動が規制される。
上記構成によれば、通風路の遮断状態において、成形誤差に起因した各フィンの過剰な回動を抑制することにより、フィン同士の良好な当接状態を確保することができる。
【発明の効果】
【００１５】
本発明によれば、フィンアッセンブリによる通風路の遮断状態を安定して維持することができる。
【図面の簡単な説明】
【００１６】
【図１】本発明の一実施形態に係る車両用レジスタ装置の縦断面図であり、奥側フィンアッセンブリにより下向きに送風している通常送風状態を示す。
【図２】図１におけるレジスタ本体の側壁の内面形状を示す図である。
【図３】側壁とフィンの連結構造を車室側から見た図である。
【図４】図１における奥側フィンアッセンブリの側面図であり、（Ａ）は通常送風状態、（Ｂ）は通風路を遮断して送風を停止している状態をそれぞれ示す。
【図５】奥側フィンアッセンブリの最上位のフィンの回動軸と側壁の段差面とを示す要部拡大図であり、（Ａ）は通常送風状態、（Ｂ）は通風路を遮断して送風を停止している状態をそれぞれ示す。
【発明を実施するための形態】
【００１７】
以下、本発明の一実施形態について図面を参照しながら説明する。図示のレジスタ装置は、センタレジスタと称されるものであり、車両のインパネ（図示しない）の中央部において助手席寄り又は運転席寄りに設置されている。
図１に示すように、レジスタ装置はレジスタ本体１０を備えており、このレジスタ本体１０の上流端はダクトを介して空調装置（図示しない）に接続されている。
【００１８】
レジスタ本体１０は断面矩形の筒形状をなして車両の前後方向（車長方向）に延びており、その内部空間が通風路１５として提供される。通風路１５の下流端が車室への吹出口１５ａとなっている。
レジスタ本体１０は、左右の側壁１１（第１壁）と、上壁１２および下壁１３（第２壁）とを有している。
【００１９】
上記レジスタ本体１０の通風路１５には、吹出側フィンアッセンブリ２０と、奥側フィンアッセンブリ３０が配置されている。吹出側フィンアッセンブリ２０は、吹出口１５ａの近傍に配置され、奥側フィンアッセンブリ３０は、吹出口１５ａから離れ吹出側フィンアッセンブリ２０より上流側すなわち奥側に配置されている。
【００２０】
吹出側フィンアッセンブリ２０は、複数例えば５枚のフィン２１と、これらフィン２１を回動可能に連結する連動リンク２５とを有している。
複数のフィン２１は、上下方向（第２方向）に延びる細長い板形状をなし、左右方向（車幅方向；第１方向）に間隔をおいて配置されている。複数のフィン２１は上下端に回動軸２２，２３を有し、これら回動軸２２，２３が、レジスタ本体１０の上壁１２と下壁１３に形成された軸受穴１２ａ，１３ａに挿入されることにより、フィン２１は上下方向に延びる回動軸線Ｌ１を中心に回動可能に支持されている。
【００２１】
連動リンク２５は左右方向に延びており、この連動リンク２５に、複数のフィン２１の上端部に形成された連結軸２４が回動可能に連結されている。連結軸２４は、回動軸２２と平行をなし回動軸２２より上流側（奥側）に配置されている。この連動リンク２５を介して、複数のフィン２１が連動するようになっている。
【００２２】
中央のフィン２１には、操作ノブ４０（操作部材）が取り付けられている。この操作ノブ４０を掴んで、中央のフィン２１を、回動軸線Ｌ１を中心に回動すると、他のフィン２１も連動リンク２５を介して同時に回動される。これにより、吹出側フィンアッセンブリ２０は、吹き出し方向を左右に調節することができる。
【００２３】
奥側フィンアッセンブリ３０は、複数例えば５枚のフィン３１ａ〜３１ｅと、これらフィン３１ａ〜３１ｅを回動可能に連結する連動リンク３５とを有している。
複数のフィン３１ａ〜３１ｅは、左右方向（第１方向）に延びる細長い板形状をなし、上下方向（第２方向）に間隔をおいて配置されている。
図２、図３に示すように、複数のフィン３１ａ〜３１ｅの左右端の回動軸５０は、左右の側壁１１に形成された軸受穴１１ａにそれぞれ回動可能に支持されている。これらフィン３１ａ〜３１ｅの回動軸線Ｌ２を図３において符号Ｌ２で示す。
【００２４】
上記連動リンク３５は上下方向に延びており、この連動リンク３５に複数のフィン３１ａ〜３１ｅの連結軸３４が回動可能に連結されている。連結軸３４は、回動軸５０と平行をなし回動軸５０より上流側（奥側）に配置されている。この連動リンク３５により、複数のフィン３１ａ〜３１ｅが連動するようになっている。
【００２５】
上記操作ノブ４０は、吹出側フィンアッセンブリ２０の中央のフィン２１に上下方向のスライドを可能にして支持されている。操作ノブ４０には、奥に向かって突出する係合部材４１が左右に揺動可能に支持されており、この係合部材４１にはスリット４１ａが形成されている。一方、奥側フィンアッセンブリ３０における中央のフィン３１ｃは、ピン３１ｘを有しており、このピン３１ｘが上記係合部材４１のスリット４１ａに挿入されている。このピン３１ｘは回動軸５０より下流側に配置され、回動軸５０と平行をなしている。中央のフィン３１ｃは、ピン３１ｘに隣接する切欠を有しており、これにより係合部材４１とフィン３１ｃとの干渉を回避するようになっている。
【００２６】
操作ノブ４０をフィン２１に沿って上下方向にスライドさせると、中央のフィン３１ｃが回動軸線Ｌ２を中心に回動し、連動リンク３５を介して他のフィン３１ａ，３１ｂ，３１ｄ，３１ｅが同時に回動する。これにより、奥側フィンアッセンブリ３０は、吹き出し方向を上下に調節することができる。
【００２７】
次に、奥側フィンアッセンブリ３０により通風路１５を遮断するための構造について説明する。図３に示すように、各フィン３１ａ〜３１ｅの左右いずれか一方の端に設けられた回動軸５０は、側壁１１の軸受穴１１ａに挿入された断面円形の小径部５１（第１軸部分）と、この小径部５１とフィン３１ａの端面との間に配置された大径部５２（第２軸部分）とを有している。
【００２８】
図１〜図３に示すように、左右いずれか一方の側壁１１の内面は、上流側が下流側から通風路１５に向かって隆起しており、これにより、吹出口１５ａ側を向く段差面６０が形成されている。図２に示すように、段差面６０は上下方向に延びており、各フィン３１ａ〜３１ｅの回動軸５０を受け入れるための逃がし凹曲面６１を有するとともに、これら逃がし凹曲面６１からそれぞれ下方に延びる規制面６２ａ〜６２ｅを有している。
【００２９】
図３に示すように、奥側フィンアッセンブリ３０のフィン３１ａ〜３１ｅの左右一方の端には、側壁１１に向かって突出する延長部７０が形成されている。この延長部７０は、フィン３１ａ〜３１ｅの端面において、回動軸線Ｌ２から見て一方側の領域（フィン３１ａ〜３１ｅの幅方向の半分未満の領域）を占めている。これら延長部７０は、フィン３１ａ〜３１ｅの回動に伴い、上記段差面６０の規制面６２ａ〜６２ｅに対して接近したり離れたりする。
【００３０】
レジスタ本体１０の上壁１２の内面には、左右方向に延びるリブ８０が形成されており、このリブ８０の上流側を向く面が、後述の作用をなす受面８１として提供されている。
レジスタ本体１０の下壁１３の内面は、吹出側が低くなっており、これにより形成された下流側を向く段差面が後述の作用をなす受面８５として提供される。この受面８５も左右方向に延びている。
【００３１】
上記構成において、操作ノブ４０を下方に操作すると、図１、図４（Ａ）に示すようにフィン３１ａ〜３１ｅが下向きに傾斜し、空調装置からの空気が下方に吹き出す。さらに操作ノブ４０を下方へ移動させると、図４（Ｂ）に示すように、フィン３１ａ〜３１ｅは互いに重ね合わされた状態で接するとともに、最上位のフィン３１ａ（選択フィン）が上壁１２の受面８１に当たり、最下位のフィン３１ｅ（反対側のフィン）が下壁１３の受面８５に当たるため、通風路１５が遮断される。
【００３２】
レジスタ装置はさらに、図５に示す回動制限手段９０を備えている。詳述すると、最上位のフィン３１ａの回動軸５０の大径部５２には、係合凸部９１（フィン側係合凸部）が形成されている。この係合凸部９１は、図５において反時計回りに向かうにしたがって回動軸線Ｌ２から徐々に遠ざかる緩やかなガイド面９１ａと、このガイド面９１ａの反時計回り方向の端に形成された急峻な係止面９１ｂ（第１係止面）とを有している。
【００３３】
他方、レジスタ本体１０の段差面６０における最上位の逃がし凹曲面６１（上記最上位のフィン３１ａの回動軸５０の大径部５２に対向する逃がし凹曲面６１）には、係合凸部９５（本体側係合凸部）が形成されている。この係合凸部９５は、係止面９５ａ（第２係止面）を有しており、山形をなしている。
【００３４】
奥側フィンアッセンブリ３０のフィン３１ａ〜３１ｅが下向きに傾斜した状態から、さらに操作ノブ４０を押し下げることにより、フィン３１ａ〜３１ｅを図４、図５において時計回り方向に回動させると、係合凸部９１のガイド面９１ａが係合凸部９５に接しながらこの係合凸部９５を案内する。この際、フィン３１ａと段差面６０の弾性を伴いながら、摩擦抵抗が増大する。最後に、フィン３１ａが受面８１に当たって遮蔽位置に達した時に、係合凸部９５が係合凸部９１を乗り越え、両者の係止面９１ｂ，９５ａ同士が当接した状態になる。
【００３５】
上記のように最上位のフィン３１ａが遮断位置において係止面９１ｂ、９５ａの係止作用により開き方向（受面８１から離れる方向）に回動するのを阻止されるので、連動リンク３５を介して他のフィン３１ｂ〜３１ｅも開き方向への回動を阻止されるので、通風路１５の遮断状態を安定して維持することができる。
最上位のフィン３１ａは、受面８１への当たりと、係止面９１ｂ，９５ａの係止により、ガタなく遮断位置に維持される。
【００３６】
通風路１５の遮断状態を解除する場合には、操作ノブ４０を押し上げる。この際、係止面９１ｂ、９５ａの係止状態から離脱するために、上述した遮断位置への回動に要した力を越える力で押し上げる必要がある。これにより、フィン３１ａ〜３１ｅが図４、図５において反時計回りに回動し、通常送風状態に戻る。
【００３７】
本実施形態では、奥側フィンアッセンブリ３０やレジスタ本体１０の成形誤差に起因して生じる隙間を最小限にするための工夫もなされている。以下、詳述する。
【００３８】
従来構造と同様に、回動規制手段９０を備えず、通風路１５の遮断状態において、フィン３１ａ〜３１ｅが互いに重なり合って接し、フィン３１ａ，３１ｅが受面８１，８５に接するように単純に設計した場合、これら構成要素の成形誤差がゼロであれば、上記接触箇所では押圧力ゼロで接することになる。しかし、これら構成要素が樹脂射出成形品からなるので若干の成形誤差が避けられない。そのため、操作ノブ４０を下方に押して通風路１５を遮断した時、フィン３１ａ〜３１ｅ間、フィン３１ａと受面８１との間、フィン３１ｅと受面８５との間のいずれかに隙間が生じ、その隙間から空気が漏れ出すことがある。
【００３９】
そこで、本実施形態では、フィン３１ａ〜３１ｅが遮断位置にある時、最上位のフィン３１ａが受面８１に接した位置を基準にして、隣接するフィン同士がオーバーラップし、最下位のフィン３１ｅが受面８５にオーバーラップするように設計している。この設計では、上述の単純設計の場合に比べて、フィン３１ａ〜３１ｅの回動量が増大する。
【００４０】
上記のように通風路１５の遮断状態において、接触箇所がオーバーラップするように設計したので、成形誤差に起因する隙間が発生することがなく、空気漏れを最小限に抑えることができる。
上記オーバーラップ設計に伴い、フィン３１ａ〜３１ｅにおける隣接するフィン同士は押圧力をもって接し、最下位のフィン３１ｅは押圧力をもって受面８５に接する。最上位のフィン３１ａは、隣接するフィン３１ｂにより受面８１から離れる方向の力を受けるが、係止凸部９１の係止面９１ｂと係止凸部９５の係止面９５ａの係止により、その回動を阻止され、受面８１に接した状態を維持することができる。
【００４１】
遮断位置において、フィン３１ａ〜３１ｅの延長部７０が規制面６２ａ〜６２ｅに当たることにより、フィン３１ａ〜３１ｅの過剰な回動を規制し、オーバーラップ設計による隙間の解消、適正な押圧力の発生を確保することができる。本実施形態では、上述した単純設計の場合に比べて、規制面６２ｄ、規制面６２ｅを上流側に０．２ｍｍ程度後退させ、規制面６２ｂ，６２ｃを上流側に０．１ｍｍ程度後退させている。
【００４２】
本発明は上記実施形態に制約されず、さらに種々の態様が可能である。
例えば、本体側係合凸部がガイド面と第１係止面を有し、フィン側係合凸部が第２係止面を有していてもよい。
本実施形態のようにフィンが５つと比較的多い場合には、一部の隣接するフィン同士は設計上オーバーラップしていなくてもよい。また、中間のフィンの一部だけを規制面で回動規制してもよい。
【００４３】
吹出側フィンアッセンブリのフィンの回動軸線が左右方向に延び、奥側フィンアッセンブリのフィンの回動軸線が上下方向に延びていてもよい。この場合、操作ノブを左右いずれかに移動させることにより、奥側フィンアッセンブリを遮断状態にする。
通風路に１つのフィンアッセンブリだけを配置してもよい。この場合、例えば中央のフィンに取り付けた操作ノブを掴んで、このフィンを回すことにより通風路を遮断してもよい。
【産業上の利用可能性】
【００４４】
本発明は、車両の空調のためのレジスタ装置に適用できる。
【符号の説明】
【００４５】
１０  レジスタ本体
１１  左右の側壁（第１壁）
１２  上壁（第２壁）
１３  下壁（第２壁）
１５  通風路
１５ａ  吹出口
３０  奥側フィンアッセンブリ（フィンアッセンブリ）
３１ａ〜３１ｅ  フィン
３１ａ  最上位のフィン（選択フィン）
３１ｅ  最下位のフィン（反対側のフィン）
３５  連動リンク
４０  操作ノブ（操作部材）
５０  回動軸
５１  小径部（第１軸部分）
５２  大径部（第２軸部分）
６０  段差面
６２ａ〜６２ｅ  規制面
７０  延長部
８１，８５  受面
９０  回動制限手段
９１  係合凸部（フィン側係合凸部）
９１ａ  ガイド面
９１ｂ  係止面（第１係止面）
９５  係合凸部（本体側係合凸部）
９５ａ  係止面（第２係止面）
【図１】
2018144551.tif 000003
【図２】
2018144551.tif 000004
【図３】
2018144551.tif 000005
【図４】
2018144551.tif 000006
【図５】
2018144551.tif 000007